【手続補正書】
【提出日】令和3年10月14日(2021.10.14)
【手続補正１】
【補正対象書類名】明細書
【補正対象項目名】０００７
【補正方法】変更
【補正の内容】
【０００７】
本開示の一態様のタッチパネルは、支持基板と、前記支持基板上に配列された複数のＸ電極と、前記支持基板上で、前記複数のＸ電極と交差するように配列され、前記複数のＸ電極から絶縁されている、複数のＹ電極と、前記複数のＸ電極と前記複数のＹ電極を覆う絶縁層と、を含む。前記絶縁層の表面が指示体でタッチされたときにＸ電極とＹ電極で形成される相互容量が減少する。タッチパネルはタッチ検出のための所定の条件を満たす。
本開示の一態様のタッチパネルは、支持基板と、前記支持基板上に配列された複数のＸ電極と、前記支持基板上で、前記複数のＸ電極と交差するように配列され、前記複数のＸ電極から絶縁されている、複数のＹ電極と、前記複数のＸ電極に対向する位置に、第１絶縁層を介して積層された、複数のＸ浮遊電極と、前記複数のＹ電極に対向する位置に、前記第１絶縁層を介して積層された、複数のＹ浮遊電極と、前記複数のＸ浮遊電極と前記複数のＹ浮遊電極とを覆う第２絶縁層と、を含み、前記複数のＸ電極と前記複数のＹ電極で形成される格子の単位格子領域内において、Ｘ電極面積はＸ浮遊電極面積より小さく、Ｙ電極面積はＹ浮遊電極面積より小さく、前記第２絶縁層の表面が指示体でタッチされたときにＸ電極とＹ電極で形成される相互容量は減少する。
【手続補正２】
【補正対象書類名】明細書
【補正対象項目名】０１１１
【補正方法】変更
【補正の内容】
【０１１１】
【数１８】
2019121353.tif 000001
【手続補正３】
【補正対象書類名】特許請求の範囲
【補正対象項目名】全文
【補正方法】変更
【補正の内容】
【特許請求の範囲】
【請求項１】
支持基板と、
前記支持基板上に配列された複数のＸ電極と、
前記支持基板上で、前記複数のＸ電極と交差するように配列され、前記複数のＸ電極から絶縁されている、複数のＹ電極と、
前記複数のＸ電極に対向する位置に、第１絶縁層を介して積層された、複数のＸ浮遊電極と、
前記複数のＹ電極に対向する位置に、前記第１絶縁層を介して積層された、複数のＹ浮遊電極と、
前記複数のＸ浮遊電極と前記複数のＹ浮遊電極とを覆う第２絶縁層と、
を含み、
前記複数のＸ電極と前記複数のＹ電極で形成される格子の単位格子領域内において、Ｘ電極面積はＸ浮遊電極面積より小さく、Ｙ電極面積はＹ浮遊電極面積より小さく、
前記第２絶縁層の表面が指示体でタッチされたときにＸ電極とＹ電極で形成される相互容量は減少する、
タッチパネル。
【請求項２】
請求項１に記載のタッチパネルであって、
前記複数のＸ浮遊電極は、前記複数のＸ電極それぞれに対向する位置に配置されており、他の電極から分離された複数の島状電極で構成され、
前記複数のＹ浮遊電極は、前記複数のＹ電極それぞれに対向する位置に配置されており、他の電極から分離された複数の島状電極で構成されている、
タッチパネル。
【請求項３】
請求項１に記載のタッチパネルであって、
前記複数のＸ電極の上面から前記第２絶縁層の表面までの厚みは、５０μｍ未満であり、
前記複数のＹ電極の上面から前記第２絶縁層の表面までの厚みは、５０μｍ未満である、
タッチパネル。
【請求項４】
請求項１に記載のタッチパネルであって、
前記指示体は指又は前記指と電気的に結合された導体であって、
Ｃｆ２は一つのＸ浮遊電極と前記指示体とで形成される静電容量と前記一つのＸ浮遊電極と前記一つのＸ浮遊電極と対向するＸ電極とで形成される静電容量とを直列接続した合成容量、及び、一つのＹ浮遊電極と前記指示体とで形成される静電容量と前記一つのＹ浮遊電極と前記一つのＹ浮遊電極と対向するＹ電極とで形成される静電容量とを直列接続した合成容量であり、
Ｃｎｔは、前記第２絶縁層の表面が指示体でタッチされていないときに前記一つのＸ電極と前記一つのＹ電極とで形成される相互容量であり、
Ｃｂは、前記指を有する人体のボディ容量であり、
次の条件が満たされている、
【数１】
2019121353.tif 000002
タッチパネル。
【請求項５】
請求項１に記載のタッチパネルであって、
前記複数のＸ電極、前記複数のＹ電極、前記複数のＸ浮遊電極及び前記複数のＹ浮遊電極は、前記指示体である指に対してテクスチャ感を提示するために使用される、
タッチパネル。
【請求項６】
請求項１に記載のタッチパネルと、
前記タッチパネルを制御する制御部と、を含み、
前記制御部は、
角周波数ωの駆動信号によって、前記複数のＸ電極と前記複数のＹ電極との間の相互容量の変化を測定することによって、前記タッチパネル上のタッチ位置を特定し、
前記指示体は指又は前記指と電気的に結合された導体であって、
Ｃｎｔは、前記第２絶縁層の表面が指示体でタッチされていないときに前記一つのＸ電極と前記一つのＹ電極とで形成される相互容量であり、
Ｚ１は、一つのＸ浮遊電極と前記指示体とで形成される静電容量と前記一つのＸ浮遊電極と前記一つのＸ浮遊電極と対向するＸ電極とで形成される静電容量とを直列接続した複素合成インピーダンス、及び、一つのＹ浮遊電極と前記指示体とで形成される静電容量と前記一つのＹ浮遊電極と前記一つのＹ浮遊電極と対向するＹ電極とで形成される静電容量とを直列接続した複素合成インピーダンスであり、
Ｚ２は、前記指を有する人体のボディの複素インピーダンスであり、
ｊは虚数であり、
次の条件が満たされている、
【数２】
2019121353.tif 000003
タッチパネル装置。
【請求項７】
請求項１に記載のタッチパネルと、
前記タッチパネルを制御する制御部と、を含み、
前記制御部は、
角周波数ωの駆動信号によって、前記複数のＸ電極と前記複数のＹ電極との間の相互容量の変化を測定することによって、前記タッチパネル上のタッチ位置を特定し、
前記指示体は指又は前記指と電気的に結合された導体であって、
Ｃｆ２は一つのＸ浮遊電極と前記指示体とで形成される静電容量と前記一つのＸ浮遊電極と前記一つのＸ浮遊電極と対向するＸ電極とで形成される静電容量とを直列接続した合成容量、及び、一つのＹ浮遊電極と前記指示体とで形成される静電容量と前記一つのＹ浮遊電極と前記一つのＹ浮遊電極と対向するＹ電極とで形成される静電容量とを直列接続した合成容量であり、
Ｃｎｔは、前記第２絶縁層の表面が前記指示体でタッチされていないときに前記一つのＸ電極と前記一つのＹ電極とで形成される相互容量であり、
Ｃｂは、前記指を有する人体のボディ容量であり、
Ｒｂは、前記指を有する人体のボディ抵抗であり、
次の条件が満たされている、
【数３】
2019121353.tif 000004
タッチパネル装置。
【請求項８】
請求項１に記載のタッチパネルと、
前記タッチパネルを制御する制御部と、を含み、
前記制御部は、
駆動信号によって、前記複数のＸ電極と前記複数のＹ電極との間の相互容量の変化を測定することによって、前記タッチパネル上のタッチ位置を特定し、
相互容量が測定されているＸ電極及びＹ電極と異なるＸ電極及びＹ電極のそれぞれに、所定の周波数差を有する異なる周波数の駆動信号を与えることで、テクスチャ感を提示する、
タッチパネル装置。
【請求項９】
請求項１に記載のタッチパネルであって、
前記指示体は指又は前記指と電気的に結合された導体であって、
Ｃｆ２は一つのＸ浮遊電極と前記指示体とで形成される静電容量と前記一つのＸ浮遊電極と前記一つのＸ浮遊電極と対向するＸ電極とで形成される静電容量とを直列接続した合成容量、及び、一つのＹ浮遊電極と前記指示体とで形成される静電容量と前記一つのＹ浮遊電極と前記一つのＹ浮遊電極と対向するＹ電極とで形成される静電容量とを直列接続した合成容量であり、
Ｃｎｔは、前記第２絶縁層の表面が指示体でタッチされていないときに前記一つのＸ電極と前記一つのＹ電極とで形成される相互容量であり、
次の条件が満たされている、
【数４】
2019121353.tif 000005
タッチパネル。
【請求項１０】
請求項１に記載のタッチパネルと、
前記タッチパネルを制御する制御部と、を含み、
前記制御部は、
角周波数ωの駆動信号によって、前記複数のＸ電極と前記複数のＹ電極との間の相互容量の変化を測定することによって、前記タッチパネル上のタッチ位置を特定し、
前記指示体は指又は前記指と電気的に結合された導体であって、
Ｃｎｔは、前記第２絶縁層の表面が指示体でタッチされていないときに前記一つのＸ電極と前記一つのＹ電極とで形成される相互容量であり、
Ｚ１は、一つのＸ浮遊電極と前記指示体とで形成される静電容量と前記一つのＸ浮遊電極と前記一つのＸ浮遊電極と対向するＸ電極とで形成される静電容量とを直列接続した複素合成インピーダンス、及び、一つのＹ浮遊電極と前記指示体とで形成される静電容量と前記一つのＹ浮遊電極と前記一つのＹ浮遊電極と対向するＹ電極とで形成される静電容量とを直列接続した複素合成インピーダンスであり、
ｊは虚数であり、
次の条件が満たされている、
【数５】
2019121353.tif 000006
タッチパネル装置。
【請求項１１】
請求項１に記載のタッチパネルと、
前記タッチパネルを制御する制御部と、を含み、
前記制御部は、
角周波数ωの駆動信号によって、前記複数のＸ電極と前記複数のＹ電極との間の相互容量の変化を測定することによって、前記タッチパネル上のタッチ位置を特定し、
前記指示体は指又は前記指と電気的に結合された導体であって、
Ｃｆ２は一つのＸ浮遊電極と前記指示体とで形成される静電容量と前記一つのＸ浮遊電極と前記一つのＸ浮遊電極と対向するＸ電極とで形成される静電容量とを直列接続した合成容量、及び、一つのＹ浮遊電極と前記指示体とで形成される静電容量と前記一つのＹ浮遊電極と前記一つのＹ浮遊電極と対向するＹ電極とで形成される静電容量とを直列接続した合成容量であり、
Ｃｎｔは、前記第２絶縁層の表面が前記指示体でタッチされていないときに前記一つのＸ電極と前記一つのＹ電極とで形成される相互容量であり、
次の条件が満たされている、
【数６】
2019121353.tif 000007
タッチパネル装置。
【請求項１２】
支持基板と、
前記支持基板上に配列された複数のＸ電極と、
前記支持基板上で、前記複数のＸ電極と交差するように配列され、前記複数のＸ電極から絶縁されている、複数のＹ電極と、
前記複数のＸ電極と前記複数のＹ電極を覆う絶縁層と、
を含み、
前記絶縁層の表面が指示体でタッチされたときにＸ電極とＹ電極で形成される相互容量が減少する、
タッチパネルと、
前記タッチパネルを制御する制御部と、を含み、
前記制御部は、
角周波数ωの駆動信号によって、前記複数のＸ電極と前記複数のＹ電極との間の相互容量の変化を測定することによって、前記タッチパネル上のタッチ位置を特定し、
前記指示体は指又は前記指と電気的に結合された導体であって、
Ｃｎｔは、前記絶縁層の表面が指示体でタッチされていないときに前記一つのＸ電極と前記一つのＹ電極とで形成される相互容量であり、
Ｚ１は、一つのＸ電極と前記指示体とで形成される複素インピーダンス、及び、一つのＹ電極と前記指示体とで形成される複素インピーダンスであり、
Ｚ２は、前記指を有する人体のボディの複素インピーダンスであり、
ｊは虚数であり、
次の条件が満たされている、
【数７】
2019121353.tif 000008
タッチパネル装置。
【請求項１３】
支持基板と、
前記支持基板上に配列された複数のＸ電極と、
前記支持基板上で、前記複数のＸ電極と交差するように配列され、前記複数のＸ電極から絶縁されている、複数のＹ電極と、
前記複数のＸ電極と前記複数のＹ電極を覆う絶縁層と
を含み、
前記絶縁層の表面が指示体でタッチされたときにＸ電極とＹ電極で形成される相互容量は減少する、
タッチパネルであって，
前記指示体は指又は前記指と電気的に結合された導体であって、
Ｃｆ２は一つのＸ電極と前記指示体とで形成される静電容量、及び、一つのＹ電極と前記指示体とで形成される静電容量であり、
Ｃｎｔは、前記絶縁層の表面が指示体でタッチされていないときに前記一つのＸ電極と前記一つのＹ電極とで形成される相互容量であり、
次の条件が満たされている、
【数８】
2019121353.tif 000009
タッチパネル。
【請求項１４】
支持基板と、
前記支持基板上に配列された複数のＸ電極と、
前記支持基板上で、前記複数のＸ電極と交差するように配列され、前記複数のＸ電極から絶縁されている、複数のＹ電極と、
前記複数のＸ電極と前記複数のＹ電極を覆う絶縁層と
を含み、
前記絶縁層の表面が指示体でタッチされたときにＸ電極とＹ電極で形成される相互容量が減少する、
タッチパネルと，
前記タッチパネルを制御する制御部と、を含み、
前記制御部は、
角周波数ωの駆動信号によって、前記複数のＸ電極と前記複数のＹ電極との間の相互容量の変化を測定することによって、前記タッチパネル上のタッチ位置を特定し、
前記指示体は指又は前記指と電気的に結合された導体であって、
Ｃｎｔは、前記絶縁層の表面が指示体でタッチされていないときに前記一つのＸ電極と前記一つのＹ電極とで形成される相互容量であり、
Ｚ１は、一つのＸ電極と前記指示体とで形成される複素インピーダンス、及び、一つのＹ電極と前記指示体とで形成される複素インピーダンスであり、
ｊは虚数であり、
次の条件が満たされている、
【数９】
2019121353.tif 000010
タッチパネル装置。
【請求項１５】
支持基板と、
前記支持基板上に配列された複数のＸ電極と、
前記支持基板上で、前記複数のＸ電極と交差するように配列され、前記複数のＸ電極から絶縁されている、複数のＹ電極と、
前記複数のＸ電極と前記複数のＹ電極を覆う絶縁層と
を含み、
前記絶縁層の表面が指示体でタッチされたときにＸ電極とＹ電極で形成される相互容量が減少する、
タッチパネルと，
前記タッチパネルを制御する制御部と、を含み、
前記制御部は、
角周波数ωの駆動信号によって、前記複数のＸ電極と前記複数のＹ電極との間の相互容量の変化を測定することによって、前記タッチパネル上のタッチ位置を特定し、
前記指示体は指又は前記指と電気的に結合された導体であって、
Ｃｆ２は一つのＸ電極と前記指示体とで形成される静電容量、及び、一つのＹ電極と前記指示体とで形成される静電容量であり、
Ｃｎｔは、前記絶縁層の表面が前記指示体でタッチされていないときに前記一つのＸ電極と前記一つのＹ電極とで形成される相互容量であり、
次の条件が満たされている、
【数１０】
2019121353.tif 000011
タッチパネル装置。